(57)【特許請求の範囲】
【請求項１】
矩形状の被梱包物の一方の側縁部を一表面側から覆う第１表面被覆部と、
第１表面被覆部の長手方向一端部に直角に連なり、被梱包物の一方の側縁部に垂直な他方の側縁部を一表面側から覆う第２表面被覆部と、
第１表面被覆部に連なり、被梱包物の一方の側縁部を側方から覆う第１側面被覆部と、
第２表面被覆部に連なり、被梱包物の他方の側縁部を側方から覆う第２側面被覆部と、
第１側面被覆部に連なり、被梱包物の一方の側縁部を裏面側から覆う第１裏面被覆部と、
第２側面被覆部に連なり、被梱包物の他方の側縁部を裏面側から覆う第２裏面被覆部と、
第１裏面被覆部の長手方向両端部にそれぞれ連なる係止片とが、それぞれ対をなして設けられ、
各第２裏面被覆部には、長手方向両端部で、かつ第２側面被覆部寄りに、前記長手方向に延びる挿入孔が形成され、
第１裏面被覆部の長手方向両端部と、係止片との間には、係止切欠き部が形成され、
第２裏面被覆部の長手方向両端部は、第２側面被覆部の長手方向両端部よりも、相互に近接する方向に退避して形成され、
第１裏面被覆部の長手方向両端部における係止片よりも第１側面被覆部寄りの領域には、接触切欠き部が形成され、
各接触切欠き部は、第１側面被覆部から離反するに連れて相互に近接する方向に、第１裏面被覆部の長手方向に対して予め定める第１の角度で傾斜する第１裏面傾斜部を有し、
第２裏面被覆部は、長手方向両端部で第２側面被覆部寄りに、第２側面被覆部から離反するに連れて相互に近接する方向に、第２裏面被覆部の長手方向に対して予め定める第２の角度で傾斜する第２裏面傾斜部を有し、
予め定める第１の角度と予め定める第２の角度とを加算した角度は、直角であることを特徴とする板状体の梱包装置。
【請求項２】
第２裏面被覆部の長手方向両端部の厚みは、長手方向両端部間の中間部の厚みよりも小さく形成されることを特徴とする請求項１記載の板状体の梱包装置。
【請求項３】
第１表面被覆部には、第１側面被覆部寄りに、第１表面被覆部の長手方向に垂直な方向に断続的であり、かつ第１表面被覆部の長手方向に延びその両端部から第１側面被覆部に向かって延びる第１表面切込み部が形成され、
第１裏面被覆部には、第１側面被覆部寄りに、第１裏面被覆部の長手方向に垂直な方向に断続的であり、かつ第１裏面被覆部の長手方向に延びその両端部から第１側面被覆部に向かって延びる第１裏面切込み部が形成され、
前記第２表面被覆部には、第２側面被覆部寄りに、第２側面被覆部の長手方向に垂直な方向に断続的であり、かつ第２表面被覆部の長手方向に延びその両端部から第２側面被覆部に向かって延びる第２表面切込み部が形成され、
第２裏面被覆部には、第２側面被覆部寄りに、第２裏面被覆部の長手方向に垂直な方向に断続的であり、かつ第２裏面被覆部の長手方向に延びその両端部から第２側面被覆部に向かって延びる第２裏面切込み部が形成され、
第１表面切込み部と第１裏面切込み部とは、第１表面被覆部および第１裏面被覆部の長手方向に垂直な方向に、相互に重ならない位置にずれて形成され、
第２表面切込み部と第２裏面切込み部とは、第２表面被覆部および第２裏面被覆部の長手方向に垂直な方向に、相互に重ならない位置にずれて形成されることを特徴とする請求項１または２記載の板状体の梱包装置。
【請求項４】
第１表面被覆部の長手方向中間部と第２表面被覆部の長手方向中間部との間には、補強部が設けられることを特徴とする請求項１〜３のいずれか１つに記載の板状体の梱包装置。
【請求項５】
第１側面被覆部には、第１側面被覆部の長手方向に平行な軸線まわりに起立可能な起立片が設けられることを特徴とする請求項１〜４のいずれか１つに記載の板状体の梱包装置。
【請求項６】
矩形状の被梱包物の一方の側縁部を一表面側から覆う第１表面被覆部と、
第１表面被覆部の長手方向一端部に直角に連なり、被梱包物の一方の側縁部に垂直な他方の側縁部を一表面側から覆う第２表面被覆部と、
第１表面被覆部に連なり、被梱包物の一方の側縁部を側方から覆う第１側面被覆部と、
第２表面被覆部に連なり、被梱包物の他方の側縁部を側方から覆う第２側面被覆部と、
第１側面被覆部に連なり、被梱包物の一方の側縁部を裏面側から覆う第１裏面被覆部と、
第２側面被覆部に連なり、被梱包物の他方の側縁部を裏面側から覆う第２裏面被覆部と、
第１裏面被覆部の長手方向両端部にそれぞれ連なる係止片とが、それぞれ対をなして設けられ、
各第２裏面被覆部には、長手方向両端部で、かつ第２側面被覆部寄りに、前記長手方向に延びる挿入孔が形成され、この第２裏面被覆部の長手方向両端部の厚みは、長手方向両端部間の中間部の厚みよりも小さく形成され、
第１裏面被覆部の長手方向両端部と、係止片との間には、係止切欠き部が形成され、
第２裏面被覆部の長手方向両端部は、第２側面被覆部の長手方向両端部よりも、相互に近接する方向に退避して形成され、
第１側面被覆部には、第１側面被覆部の長手方向に平行な軸線まわりに起立可能な起立片が設けられることを特徴とする板状体の梱包装置。
【請求項７】
１枚の矩形状の板状体を、被梱包物の一方の側縁部の一部を覆う第１領域と、第１領域に垂直に連なり、被梱包物の他方の側縁部を覆う第２領域と、第２領域に垂直に連なり、被梱包物の一方の側縁部の残部を覆う第３領域とを有する２つの切抜き部に切断し、
各切抜き部の第１、第２および第３領域は、被梱包物を一表面側から覆う表面被覆部と、被梱包物を側面から覆う側面被覆部と、被梱包物を裏面側から覆う裏面被覆部とを有することを特徴とする板状体の梱包装置の製造方法。
【請求項８】
一対の第１領域は、相互に平行に配置され、
一対の第２領域は、第１領域に直交する方向で相互に平行に配置され、
一対の第３領域は、第１領域の間、および第２領域の間で相互に平行であり、かつ第１領域に平行に配置されることを特徴とする請求項７記載の板状体の梱包装置の製造方法。
【発明の詳細な説明】
【０００１】
【発明の属する技術分野】
本発明は、たとえば太陽電池パネルなどの板状体の梱包装置およびその製造方法に関する。
【０００２】
【従来の技術】
従来の技術では、矩形板状の被梱包物を一表面側から覆い、被梱包物の一表面と同様な形状を有する表面被覆部に、被梱包物の一方の側縁部を側方から覆う第１側面被覆部と、被梱包物の一方の側縁部に垂直に連なる他方の側縁部を側方から覆う第２側面被覆部と、第１側面被覆部に連なり、被梱包物の一方の側縁部を裏面側から覆う第１裏面被覆部と、第２側面被覆部に連なり、被梱包物の他方の側縁部を裏面側から覆う第２裏面被覆部とがそれぞれ対をなして設けられる梱包装置がある。このような梱包装置では、各対をなす第１側面被覆部を表面被覆部に対して相互に近接する方向に折り曲げて対向させ、また各対をなす第２側面被覆部を表面被覆部に対して相互に近接する方向に対向するように折り曲げて対向させ、さらに、各対をなす第１裏面被覆部を各第１側面被覆部に対して表面被覆部に対向するように折り曲げ、各対をなす第２裏面被覆部を各第２側面被覆部に対して表面被覆部に対向するように折り曲げることによって、被梱包物を梱包している（たとえば、特許文献１参照）。
【０００３】
また側面被覆部の長手方向の寸法は、第１側面被覆部の長手方向に平行方向の表面被覆部の寸法に等しく選ばれている。また、第２裏面被覆部および第２側面被覆部の長手方向の寸法は、第２側面被覆部の長手方向に平行な方向の表面被覆部の寸法に等しく選ばれている。
【０００４】
【特許文献１】
特開平１１−９１８４５号公報
【０００５】
【発明が解決しようとする課題】
従来の技術では、被梱包物を梱包するときに、第１裏面被覆部の長手方向の端部と第２裏面被覆部の長手方向の端部とがそれぞれ積重される。ここでは、たとえば第１裏面被覆部の長手方向の端部が、第２表面被覆部の長手方向の端部を覆うとすると、第１裏面被覆部は、第２表面被覆部の長手方向両端部の厚み方向への弾性回復力、または第１裏面被覆部の被梱包物から離反する方向への復元力によって、第１および第２裏面被覆部間に隙間などを含む段差が発生する。このような段差が発生すると、段差が生じた部分に他の物体が接触して第１および第２裏面被覆部などが破断したりして、被梱包物が確実に梱包できなくなってしまうという問題が生じるといった問題がある。
【０００６】
第１裏面被覆部と第２裏面被覆部との間に段差が生じないように、粘着テープなどを用いて第１裏面被覆部と第２裏面被覆部とを接着する場合、梱包に要する時間が増加し、梱包の作業性が低下するといった問題がある。
【０００７】
また、被梱包物ごとに梱包装置が必要であるので、被梱包物の数が増加すると、梱包装置の数も増加し、これに伴って梱包装置を構成する梱包材料の使用量が増加する。梱包材料には、たとえば紙材料などが用いられるので、環境面などを考慮すると、同じ被梱包物を梱包したときに上述した梱包装置よりも梱包材料の使用量を低減させることができ、言い換えれば、同じ面積の梱包材料によって、より大きな被梱包物を梱包することができる板状体の梱包装置の製造方法が望まれている。
【０００８】
本発明の目的は、梱包の作業性が向上し、かつ梱包した状態を確実に保持することができ、被梱包物の損傷が生じない板状体の梱包装置を提供することである。
【０００９】
本発明の他の目的は、梱包材料の使用量を低減することができる板状体の梱包装置の製造方法を提供することである。
【００１０】
【課題を解決するための手段】
請求項１記載の本発明は、矩形状の被梱包物の一方の側縁部を一表面側から覆う第１表面被覆部と、
第１表面被覆部の長手方向一端部に直角に連なり、被梱包物の一方の側縁部に垂直な他方の側縁部を一表面側から覆う第２表面被覆部と、
第１表面被覆部に連なり、被梱包物の一方の側縁部を側方から覆う第１側面被覆部と、
第２表面被覆部に連なり、被梱包物の他方の側縁部を側方から覆う第２側面被覆部と、
第１側面被覆部に連なり、被梱包物の一方の側縁部を裏面側から覆う第１裏面被覆部と、
第２側面被覆部に連なり、被梱包物の他方の側縁部を裏面側から覆う第２裏面被覆部と、
第１裏面被覆部の長手方向両端部にそれぞれ連なる係止片とが、それぞれ対をなして設けられ、
各第２裏面被覆部には、長手方向両端部で、かつ第２側面被覆部寄りに、前記長手方向に延びる挿入孔が形成され、
第１裏面被覆部の長手方向両端部と、係止片との間には、係止切欠き部が形成され、
第２裏面被覆部の長手方向両端部は、第２側面被覆部の長手方向両端部よりも、相互に近接する方向に退避して形成され、
第１裏面被覆部の長手方向両端部における係止片よりも第１側面被覆部寄りの領域には、接触切欠き部が形成され、
各接触切欠き部は、第１側面被覆部から離反するに連れて相互に近接する方向に、第１裏面被覆部の長手方向に対して予め定める第１の角度で傾斜する第１裏面傾斜部を有し、
第２裏面被覆部は、長手方向両端部で第２側面被覆部寄りに、第２側面被覆部から離反するに連れて相互に近接する方向に、第２裏面被覆部の長手方向に対して予め定める第２の角度で傾斜する第２裏面傾斜部を有し、
予め定める第１の角度と予め定める第２の角度とを加算した角度は、直角であることを特徴とする板状体の梱包装置である。
【００１１】
本発明に従えば、各対をなす第１側面被覆部を各第１表面被覆部に対して相互に近接する方向に折り曲げて対向させ、また各対をなす第２側面被覆部を第２表面被覆部に対して相互に近接する方向に折り曲げて対向させる。さらに、各対をなす第１裏面被覆部を各第１側面被覆部に対して各第１表面被覆部に対向するように折り曲げ、各対をなす第２裏面被覆部を各第２側面被覆部に対して第２表面被覆部に対向するように折り曲げ、被梱包物を梱包する。
【００１２】
各第１裏面被覆部の長手方向両端部に設けられる係止片を第２裏面被覆部の長手方向両端部で、かつ各第２側面被覆部寄りに形成される挿入孔に挿入することによって係止切欠き部が挿入孔から長手方向外側に存在する第２裏面被覆部の部分に嵌り込み、各第１裏面被覆部が、被梱包物または各第２裏面被覆部から離反する方向に各変位して、被梱包物の裏面の一方の側縁部寄りの領域を外部に露出してしまうことが防がれるとともに、各第２裏面被覆部が被梱包物から離反する方向に各変位して、被梱包物の裏面の他方の側縁部寄りの領域を外部に露出してしまうことが防がれる。したがって、被梱包物が側縁部が外部に露出しないように、円滑に梱包することができ、梱包の作業性が向上する。
【００１４】
第２裏面被覆部の長手方向両端部は、第２側面被覆部の長手方向両端部よりも相互に近接する方向に退避して設けられるので、第１裏面被覆部の長手方向両端部が第２裏面被覆部の長手方向両端部に当接する当接位置は、第１側面被覆部に対する折込み位置よりも遊端、すなわち折込み位置から離反する側となる。これによって、第１裏面被覆部の浮き上がりを少なくし、第１表面被覆部に大きな弾性回復力または復元力が発生することを抑制して、わずかな衝撃などの作用によって係止片が破損し、あるいは第１および第２裏面被覆部が破損するという不具合が生じない。
【００１６】
第１裏面被覆部を第１側面被覆部に対して折り曲げて、第１表面被覆部に対向させ、第２裏面被覆部を第２側面被覆部に対して折り曲げて、第２表面被覆部に対向させると、第１裏面被覆部の長手方向両端部における係止片よりも第１側面被覆部寄りの領域に形成される接触切欠き部の第１裏面傾斜部の一部と、第２裏面被覆部の長手方向両端部で第２側面被覆部寄りに設けられる第２裏面傾斜部の一部が当接する。
【００１７】
第１裏面傾斜部は、第１裏面被覆部の長手方向に対して予め定める第１の角度で傾斜し、第２裏面傾斜部は、第２裏面傾斜部の長手方向に対して予め定める第２の角度で傾斜し、かつ予め定める第１の角度と予め定める第２の角度とを加算した角度は直角であるので、第１裏面被覆部および第２裏面被覆部の一部が当接することによって、第１裏面被覆部に対する第２裏面被覆部の位置決めを行うことができ、矩形状の被梱包物の形状を保持することができるとともに、装置の強度を向上させることができる。したがって、たとえば梱包装置に捩れなどが生じた場合、係止切欠き部、および係止切欠き部の近傍の第１裏面被覆部に捩れによる負荷が集中することを防止することができるので、第１および第２裏面被覆部などの破損をより確実に防止することができる。
請求項２記載の本発明は、第２裏面被覆部の長手方向両端部の厚みは、長手方向両端部間の中間部の厚みよりも小さく形成されることを特徴とする。
本発明に従えば、各第１裏面被覆部の長手方向両端部では、前述のように折り畳んで被梱包物を梱包した状態では、各第２裏面被覆部の長手方向両端部に積重して配置されるが、これらの各第２裏面被覆部の長手方向両端部の領域は、その厚みが両端部間の中間部の厚みと比較して小さく形成されるので、各第１裏面被覆部が、各第２裏面被覆部の長手方向両端部の厚み方向への弾性回復力または第１裏面被覆部の係止片が挿入孔から離脱する方向への復元力によって、第１裏面被覆部および第２裏面被覆部間に隙間が発生することが防がれる。したがって、梱包された被梱包物の運搬時、および複数の被梱包物を梱包された状態で積重して載置、あるいは梱包され積重された被梱包物を移動させるときに、前記段差が生じた部分に他の物体が接触して係止片が破損したり、第１および第２裏面被覆部などが破断したりして、被梱包物が確実に梱包できなくなってしまうという問題が生じない。したがって、段ボールなどの安価な梱包材料を用いて実現される梱包装置に対して、特に好適に実施することができ、産業上の利用性が拡大する。
【００１８】
請求項３記載の本発明は、第１表面被覆部には、第１側面被覆部寄りに、第１表面被覆部の長手方向に垂直な方向に断続的であり、かつ第１表面被覆部の長手方向に延びその両端部から第１側面被覆部に向かって延びる第１表面切込み部が形成され、
第１裏面被覆部には、第１側面被覆部寄りに、第１裏面被覆部の長手方向に垂直な方向に断続的であり、かつ第１裏面被覆部の長手方向に延びその両端部から第１側面被覆部に向かって延びる第１裏面切込み部が形成され、
前記第２表面被覆部には、第２側面被覆部寄りに、第２側面被覆部の長手方向に垂直な方向に断続的であり、かつ第２表面被覆部の長手方向に延びその両端部から第２側面被覆部に向かって延びる第２表面切込み部が形成され、
第２裏面被覆部には、第２側面被覆部寄りに、第２裏面被覆部の長手方向に垂直な方向に断続的であり、かつ第２裏面被覆部の長手方向に延びその両端部から第２側面被覆部に向かって延びる第２裏面切込み部が形成され、
第１表面切込み部と第１裏面切込み部とは、第１表面被覆部および第１裏面被覆部の長手方向に垂直な方向に、相互に重ならない位置にずれて形成され、
第２表面切込み部と第２裏面切込み部とは、第２表面被覆部および第２裏面被覆部の長手方向に垂直な方向に、相互に重ならない位置にずれて形成されることを特徴とする。
【００１９】
本発明に従えば、第１表面切込み部を第１表面被覆部に形成し、第１裏面切込み部を第１裏面被覆部に形成し、第２表面切込み部を第２表面被覆部に形成し、第２裏面切込み部を第２裏面被覆部に形成するので、第１側面被覆部を各第１表面被覆部に対して相互に近接する方向に折り曲げて対向させ、また第２側面被覆部を第２表面被覆部に対して相互に近接する方向に折り曲げて対向させ、第１裏面被覆部を各第１側面被覆部に対して各第１表面被覆部に対向するように折り曲げ、第２裏面被覆部を各第２側面被覆部に対して第２表面被覆部に対向するように折り曲げることによって、梱包装置の側縁部には、第１側面被覆部および第２側面被覆部の長手方向に垂直な方向に断続的に突出する複数の突出部が形成される。
【００２０】
第１表面切込み部によって形成される突出部と、第１表面切込み部によって形成される突出部とは、第１表面被覆部および第１裏面被覆部の長手方向に垂直な方向に、相互に重ならない位置にずれて形成される。また第２表面切込み部によって形成される突出部と、第２表面切込み部によって形成される突出部とは、第２表面被覆部および第２裏面被覆部の長手方向に垂直な方向に、相互に重ならない位置にずれて形成される。したがって、被梱包物を梱包装置によって梱包した状態で、被梱包物の厚み方向に垂直な方向に複数の梱包物を積重して載置した場合では、第１表面切込み部によって形成される突出部と、第１裏面切込み部によって形成される突出部とが嵌め合い状態となり、第２表面切込み部によって形成される突出部と、第２裏面切込み部によって形成される突出部とが嵌め合い状態となるので、積重した梱包物が不要にずれてしまうことが防がれ、荷崩れを防止することができる。
【００２１】
請求項４記載の本発明は、第１表面被覆部の長手方向中間部と第２表面被覆部の長手方向中間部との間には、補強部が設けられることを特徴とする。
【００２２】
本発明に従えば、第１表面被覆部の長手方向中間部と、第２表面被覆部の長手方向中間部との間に、補強部材が設けられるので、第１表面被覆部および第２表面被覆部が互いに近接する方向および離反する方向の強度を向上させることができ、梱包装置の型崩れなどの不用意な変形を防止することができる。
【００２３】
請求項５記載の本発明は、第１側面被覆部には、第１側面被覆部の長手方向に平行な軸線まわりに起立可能な起立片が設けられることを特徴とする。
【００２４】
本発明に従えば、起立片が第１側面被覆部の長手方向に平行な軸線まわりに起立可能に設けるので、複数の板状体の被梱包物を梱包する場合に、起立片を第１表面被覆部および第１裏面被覆部に対向するように起立させて、被梱包物の間に挟むことによって、対向する被梱包物が直接接触することを防止することができ、被梱包物が互いに接触することによって生じる傷の発生を防止することができる。
【００２５】
また起立片を対向する被梱包物の間に挟むことによって、被梱包物の梱包装置に対する位置決めを行うことができ、梱包状態で被梱包物の梱包装置に対する位置ずれを防止することができる。
【００２６】
請求項６記載の本発明は、矩形状の被梱包物の一方の側縁部を一表面側から覆う第１表面被覆部と、
第１表面被覆部の長手方向一端部に直角に連なり、被梱包物の一方の側縁部に垂直な他方の側縁部を一表面側から覆う第２表面被覆部と、
第１表面被覆部に連なり、被梱包物の一方の側縁部を側方から覆う第１側面被覆部と、
第２表面被覆部に連なり、被梱包物の他方の側縁部を側方から覆う第２側面被覆部と、
第１側面被覆部に連なり、被梱包物の一方の側縁部を裏面側から覆う第１裏面被覆部と、
第２側面被覆部に連なり、被梱包物の他方の側縁部を裏面側から覆う第２裏面被覆部と、
第１裏面被覆部の長手方向両端部にそれぞれ連なる係止片とが、それぞれ対をなして設けられ、
各第２裏面被覆部には、長手方向両端部で、かつ第２側面被覆部寄りに、前記長手方向に延びる挿入孔が形成され、この第２裏面被覆部の長手方向両端部の厚みは、長手方向両端部間の中間部の厚みよりも小さく形成され、
第１裏面被覆部の長手方向両端部と、係止片との間には、係止切欠き部が形成され、
第２裏面被覆部の長手方向両端部は、第２側面被覆部の長手方向両端部よりも、相互に近接する方向に退避して形成され、
第１側面被覆部には、第１側面被覆部の長手方向に平行な軸線まわりに起立可能な起立片が設けられることを特徴とする板状体の梱包装置である。
本発明に従えば、各対をなす第１側面被覆部を各第１表面被覆部に対して相互に近接する方向に折り曲げて対向させ、また各対をなす第２側面被覆部を第２表面被覆部に対して相互に近接する方向に折り曲げて対向させる。さらに、各対をなす第１裏面被覆部を各第１側面被覆部に対して各第１表面被覆部に対向するように折り曲げ、各対をなす第２裏面被覆部を各第２側面被覆部に対して第２表面被覆部に対向するように折り曲げ、被梱包物を梱包する。
各第１裏面被覆部の長手方向両端部に設けられる係止片を第２裏面被覆部の長手方向両端部で、かつ各第２側面被覆部寄りに形成される挿入孔に挿入することによって係止切欠き部が挿入孔から長手方向外側に存在する第２裏面被覆部の部分に嵌り込み、各第１裏面被覆部が、被梱包物または各第２裏面被覆部から離反する方向に各変位して、被梱包物の裏面の一方の側縁部寄りの領域を外部に露出してしまうことが防がれるとともに、各第２裏面被覆部が被梱包物から離反する方向に各変位して、被梱包物の裏面の他方の側縁部寄りの領域を外部に露出してしまうことが防がれる。したがって、被梱包物が側縁部が外部に露出しないように、円滑に梱包することができ、梱包の作業性が向上する。
各第１裏面被覆部の長手方向両端部では、前述のように折り畳んで被梱包物を梱包した状態では、各第２裏面被覆部の長手方向両端部に積重して配置されるが、これらの各第２裏面被覆部の長手方向両端部の領域は、その厚みが両端部間の中間部の厚みと比較して小さく形成されるので、各第１裏面被覆部が、各第２裏面被覆部の長手方向両端部の厚み方向への弾性回復力または第１裏面被覆部の係止片が挿入孔から離脱する方向への復元力によって、第１裏面被覆部および第２裏面被覆部間に隙間が発生することが防がれる。したがって、梱包された被梱包物の運搬時、および複数の被梱包物を梱包された状態で積重して載置、あるいは梱包され積重された被梱包物を移動させるときに、前記段差が生じた部分に他の物体が接触して係止片が破損したり、第１および第２裏面被覆部などが破断したりして、被梱包物が確実に梱包できなくなってしまうという問題が生じない。したがって、段ボールなどの安価な梱包材料を用いて実現される梱包装置に対して、特に好適に実施することができ、産業上の利用性が拡大する。
第２裏面被覆部の長手方向両端部は、第２側面被覆部の長手方向両端部よりも相互に近接する方向に退避して設けられるので、第１裏面被覆部の長手方向両端部が第２裏面被覆部の長手方向両端部に当接する当接位置は、第１側面被覆部に対する折込み位置よりも遊端、すなわち折込み位置から離反する側となる。これによって、第１裏面被覆部の浮き上がりを少なくし、第１表面被覆部に大きな弾性回復力または復元力が発生することを抑制して、わずかな衝撃などの作用によって係止片が破損し、あるいは第１および第２裏面被覆部が破損するという不具合が生じない。
起立片が第１側面被覆部の長手方向に平行な軸線まわりに起立可能に設けるので、複数の板状体の被梱包物を梱包する場合に、起立片を第１表面被覆部および第１裏面被覆部に対向するように起立させて、被梱包物の間に挟むことによって、対向する被梱包物が直接接触することを防止することができ、被梱包物が互いに接触することによって生じる傷の発生を防止することができる。
また起立片を対向する被梱包物の間に挟むことによって、被梱包物の梱包装置に対する位置決めを行うことができ、梱包状態で被梱包物の梱包装置に対する位置ずれを防止することができる。
請求項７記載の本発明は、１枚の矩形状の板状体を、被梱包物の一方の側縁部の一部を覆う第１領域と、第１領域に垂直に連なり、被梱包物の他方の側縁部を覆う第２領域と、第２領域に垂直に連なり、被梱包物の一方の側縁部の残部を覆う第３領域とを有する２つの切抜き部に切断し、
各切抜き部の第１、第２および第３領域は、被梱包物を一表面側から覆う表面被覆部と、被梱包物を側面から覆う側面被覆部と、被梱包物を裏面側から覆う裏面被覆部とを有することを特徴とする板状体の梱包装置の製造方法である。
【００２７】
本発明に従えば、１枚の矩形状の板状体を、被梱包物の一方の側縁部の一部を覆う第１領域と、第１領域に垂直に連なり、被梱包物の他方の側縁部を覆う第２領域と、第２領域に垂直に連なり、被梱包物の一方の側縁部の残部を覆う第３領域とを有する２つの切抜き部に切断して、板状体の梱包装置を製造する。各切抜き部の第１、第２および第３領域は、被梱包物を一表面側から覆う表面被覆部と、被梱包物を側面から覆う側面被覆部と、被梱包物を裏面側から覆う裏面被覆部とを有する。
【００２８】
梱包装置を２つの切抜き部から作製することによって、被梱包物の側縁部のみを覆う構成とすることができ、梱包装置を１枚の矩形状の板状体の周縁部を折り曲げて作製する場合に比べて、同じ面積の梱包材料を用いて、より大きな被梱包物を梱包することができる。つまり、従来の技術の梱包装置と比較して、梱包材料の使用量を削減することができる。また、切抜き部の一部が損傷した場合には、梱包装置全体を廃棄する必要が無く、損傷した部分を有する切抜き部だけを交換するだけで梱包装置を製造することができる。
【００２９】
請求項８記載の本発明は、一対の第１領域は、相互に平行に配置され、
一対の第２領域は、第１領域に直交する方向で相互に平行に配置され、
一対の第３領域は、第１領域の間、および第２領域の間で相互に平行であり、かつ第１領域に平行に配置されることを特徴とする。
【００３０】
本発明に従えば、一対の第１領域を相互に平行に配置し、一対の第２領域を第１領域に直交する方向で相互に平行に配置し、一対の第３領域を第１領域の間および第２領域の間で相互に平行であり、かつ第１領域に平行に配置して、切抜きを行うことによって、１枚の矩形状の板状体から効率よく梱包装置の部位を取り出すことができる。
【００３１】
【発明の実施の形態】
図１は、本発明の実施の一形態である板状体の梱包装置１の一部を切欠いて示す平面図であり、図２は板状体の梱包装置１の一方の側面図であり、図３は板状体の梱包装置１の他方の側面図であり、図４は板状体の梱包装置１の一部を切欠いて示す展開図である。
【００３２】
梱包装置１は、矩形状の板状体である被梱包物２を梱包する。本実施の形態では、被梱包物２は、太陽電池パネルである。梱包装置１は、被梱包物２として２枚の太陽電池パネルを梱包する。
【００３３】
本実施の形態において、被梱包物２の裏面は、板状体である被梱包物２の一表面に対して、この一表面とは反対側に臨む面である被梱包物２の他表面と同一である。
【００３４】
梱包装置１は、被梱包物２の一方の側縁部３を一表面４側から覆う第１表面被覆部５と、第１表面被覆部５の長手方向一端部６に直角に屈曲して連なり、被梱包物２の一方の側縁部３に垂直な他方の側縁部７を一表面４側から覆う第２表面被覆部８と、第１表面被覆部５に連なり、被梱包物２の一方の側縁部３を側方から覆う第１側面被覆部９と、第２表面被覆部８に連なり、被梱包物２の他方の側縁部７を側方から覆う第２側面被覆部１０と、第１側面被覆部９に連なり、被梱包物２の一方の側縁部３を裏面１１側から覆う第１裏面被覆部１２と、第２側面被覆部９に連なり、被梱包物２の他方の側縁部７を裏面１１側から覆う第２裏面被覆部１３と、第１表面被覆部５の長手方向両端部１４にそれぞれ連なる係止片１５とを含む。これらの第１表面被覆部５、第２表面被覆部８、第１側面被覆部９、第２側面被覆部１０、第１裏面被覆部１２、および第２裏面被覆部１３は、それぞれ対をなして設けられる。第１表面被覆部５、第２表面被覆部８、第１側面被覆部９、第２側面被覆部１０、第１裏面被覆部１２、および第２裏面被覆部１３は、被梱包物２の厚み方向、すなわち図１の紙面に垂直な方向で、被梱包物２の中心を通る軸線に線対称となるように設けられる。
【００３５】
各第１表面被覆部５、第２表面被覆部８、第１側面被覆部９、第２側面被覆部１０、第１裏面被覆部１２、第２裏面被覆部１３および係止片１５は、板状体の梱包材料を折り曲げることによって構成され、本実施の形態では、梱包材料として段ボールが用いられる。段ボールは、波状に形成された板状の中芯原紙と、ライナと呼ばれる平板紙とから構成され、ライナを中芯原紙の片面または両面に貼合せて形成される。段ボールとして、中芯原紙の片面にライナを貼合せた片面段ボール、中芯原紙の両面にライナを貼合せた両面段ボール、および両面段ボールの一表面に中芯原紙を対向させて片面段ボールを貼合せた複両面段ボールなどが用いられ、本実施の形態では両面段ボールによって梱包装置１が構成される。段ボールの厚さは、たとえば３．０ｍｍ程度とする。
【００３６】
各第１表面被覆部５、第１側面被覆部９および第１裏面被覆部１２の長手方向は、被梱包物２の長手方向、すなわち被梱包物２の一表面４の長辺と平行に設けられ、各第２表面被覆部８、第２側面被覆部１０および第２裏面被覆部１３の長手方向は、被梱包物２の長手方向に垂直な方向、すなわち被梱包物２の一表面４の短辺と平行に設けられる。
【００３７】
各第１表面被覆部５、第１側面被覆部９および第１裏面被覆部１２の長手方向は、ライナと中芯原紙とによって形成される段ボール内部の各空間の延びる方向に平行となり、各第２表面被覆部８、第２側面被覆部１０および第２裏面被覆部１３の長手方向は、段ボール内部の各空間の延びる方向に垂直な方向となるように形成される。各第１表面被覆部５、第１側面被覆部９および第１裏面被覆部１２の長手方向は、ライナと中芯原紙とによって形成される段ボール内部の各空間の延びる方向に平行とすることによって、被梱包物２の長辺方向に平行な方向の梱包装置１の強度を高めることができる。
【００３８】
各第１表面被覆部５および第２表面被覆部８は、矩形状であり、被梱包物２の一表面４の側縁部３，７の予め定める範囲の領域、ここでは被梱包物２の一表面４の縁辺部から距離Ａの範囲を覆う。第１表面被覆部５および第２表面被覆部８の被梱包物２に臨む面は、同一仮想平面上に位置する。第１表面被覆部５および第２表面被覆部８の被梱包物２に臨む面は、同一仮想平面に位置するので、梱包される被梱包物２に傷をつけることが防止される。
【００３９】
第１表面被覆部５の長手方向両端部２１間の中間部２２と第２表面被覆部８の長手方向両端部２３間の中間部２４との間には、補強部２５が設けられる。補強部２５は、第１表面被覆部５の長手方向両端部２１間の中間部２２と第２表面被覆部８の長手方向両端部２３間の中間部２４との間で、第１表面被覆部５と第２表面被覆部８とが連なるコーナ部２６にわたって、第１表面被覆部５および第２表面被覆部８と一体的に形成される。補強部２５を設けることによって、第１表面被覆部５および第２表面被覆部８が互いに近接する方向および離反する方向の強度を特に向上させることができる。
【００４０】
各第１側面被覆部９は矩形状であり、第１側面被覆部９の長手方向に垂直な方向の一端部２７は、第１表面被覆部５の長手方向に垂直な方向で、かつ一対の第１表面被覆部５の相互に離反する方向の端部２８に連なり、第１側面被覆部９は、第１表面被覆部５に対して垂直に立設する。また、各第２側面被覆部１０は、矩形状であり、第２側面被覆部１０の長手方向に垂直な方向の一端部２９は、第２表面被覆部８の長手方向に垂直な方向で、かつ一対の第２表面被覆部が相互に離反する方向の端部３１に連なり、第２側面被覆部１０は、第１表面被覆部５に対して垂直に立設する。第１側面被覆部９および第２側面被覆部１０の長手方向に垂直な方向の寸法Ｈは、被梱包物２の厚みに略等しく選ばれる。
【００４１】
第１裏面被覆部１２および第２裏面被覆部１３は略矩形状であり、被梱包物２の裏面１１の側縁部３，７の予め定める範囲の領域を覆う。ここでは、第１裏面被覆部１２は、被梱包物２の裏面１１の一方の縁辺部から距離Ａの範囲を覆い、第２裏面被覆部１３は、被梱包物２の裏面の一方の縁辺部に垂直に連なる他方の縁辺部から距離Ｂの範囲を覆う。第１裏面被覆部１２の長手方向に垂直な方向の一端部３２は、第１側面被覆部９の長手方向に垂直な方向の他端部３３に連なり、第１裏面被覆部１２は、第２側面被覆部１３に対して垂直に立設する。第２裏面被覆部１３の長手方向に垂直な方向の一端部３４は、第２側面被覆部１０の長手方向に垂直な方向の他端部３５に連なり、第２裏面被覆部１３は、第２側面被覆部１４に対して垂直に立設する。
【００４２】
第１側面被覆部９の長手方向両端部３６は、第２側面被覆部１０の長手方向両端部３７にそれぞれ当接し、第１裏面被覆部１２の長手方向両端部１４は、第２裏面被覆部１３の長手方向両端部３８にそれぞれ積重される。
【００４３】
各第２裏面被覆部１３には、長手方向両端部３８で、かつ第２側面被覆部１０寄りに、前記長手方向に延びる挿入孔４１が形成される。第１表面被覆部５の長手方向両端部１４にそれぞれ連なる係止片１５は、挿入孔４１に挿通されて、係止される。係止辺１５および挿入孔４１の具体的な形状は、後述する図５の説明で述べる。
【００４４】
図４に示される展開状態の梱包装置１である梱包装置構成体１６は、上述した第１表面被覆部５、第２表面被覆部８、第１側面被覆部９、第２側面被覆部１０、第１裏面被覆部１２、第２裏面被覆部１３および係止片１５を有し、これらの厚み方向一方面および他方面が、それぞれ同一平面上に連なって形成される。つまり、梱包装置構成体１６は、第１表面被覆部５の長手方向一端部６に、第２表面被覆部９の長手方向一端部が屈曲して連なり、第１表面被覆部５の長手方向に垂直な方向で、各第１表面被覆部５が相互に離反する方向の端部２８に第１側面被覆部９の長手方向に垂直な方向の一端部２７が連なり、第１側面被覆部９の長手方向に垂直な方向の他端部３３に第１裏面被覆部１２の長手方向に垂直な方向の一端部３２が連なり、第１裏面被覆部１２の長手方向両端部１４に係止片１５がそれぞれ連なり、第２表面被覆部８の長手方向に垂直な方向で、各第２表面被覆部が相互に離反する方向の端部３１に第２側面被覆部１０の長手方向に垂直な方向の一端部２９が連なり、第２側面被覆部１０の長手方向に垂直な方向の他端部３５に第２裏面被覆部１３の長手方向に垂直な方向の一端部３４が連なって形成され、各第１表面被覆部５、第２表面被覆部８、第１側面被覆部９、第２側面被覆部１０、第１裏面被覆部１２、第２裏面被覆部１３および係止片１５は、梱包装置構成体１６の中心で、厚み方向の軸線に対称となるように、対をなして形成される。第１表面被覆部５、第１側面被覆部９および第１表面被覆部１２の長手方向の寸法は、ほぼ等しく形成され、第２表面被覆部８、第２側面被覆部１０および第２裏面被覆部１３の長手方向の寸法は、ほぼ等しく形成される。
【００４５】
図４に示される梱包装置構成体１６の一対の第１側面被覆部９の、各第１表面被覆部５に対して相互に近接する方向に折り曲げて対向させ、一対の第２側面被覆部１０を、第２表面被覆部８に対して相互に近接する方向に折り曲げて対向させ、一対の第１裏面被覆部１２を、各第１側面被覆部９に対して各第１表面被覆部５に近接する方向に折り曲げて、各第１表面被覆部５に対向させ、一対の第２裏面被覆部１３を、各第２側面被覆部１０に対して各第２表面被覆部８に近接する方向に折り曲げて、各第２表面被覆部８に対向させ、第１側面被覆部９の被梱包体２に臨む面と、第１表面被覆部５の被梱包体２に臨む面とを垂直とし、第２側面被覆部１０の被梱包体２に臨む面と、第２側面被覆部８の被梱包体２に臨む面とを垂直とし、第１裏面被覆部１２の被梱包体２に臨む面と、第１側面被覆部９の被梱包体２に臨む面とを垂直とし、第２裏面被覆部１３の被梱包物２に臨む面と、第２側面被覆部１０の被梱包体２に臨む面とを垂直とし、各係止片１５を、第１裏面被覆部１２に対して第１表面被覆部５に近接する方向に折り曲げて、各第２裏面被覆部１３に形成される挿入孔４１に挿入することによって、梱包装置１を作製することができる。
【００４６】
図５は、係止片１５を挿入孔４１に挿入した状態を示す梱包装置１の部分拡大斜視図である。第１裏面被覆部１２の長手方向両端部１４と、係止片１５との間には、係止切欠き部４２が形成される。係止切欠き部４２は、梱包装置１を展開状態として、第１表面被覆部５から離反する方向に臨んで形成される。
【００４７】
各係止片１５の遊端部４３の角隅部４４は、半径Ｒの円弧状に形成される。また、係止片１５には、係止切欠き部４２が形成される基端部４５から角隅部４４に向かうに連れて、第１側面被覆部９に向かう方向にわずかに傾斜する係止傾斜部４６を有する。これによって、係止片１５を挿入孔４１に挿入するときに、角隅部４４および係止傾斜部４６を挿入孔４１に臨む第２裏面被覆部１３に当接させて、スライドさせて挿入することができ、係止片１２の挿入孔４１への挿入を円滑に行うことができる。
【００４８】
挿入孔４１の長手方向の寸法Ｌ１は、挿入孔の長手方向に平行な方向の係止片１５の寸法Ｌ２よりもわずかに大きく選ばれ、また挿入孔４１の長手方向の一端部と第２裏面被覆部１３の端部との間の距離Ｌ３は、係止片１５と第２側面被覆部１３との間の距離Ｌ４よりも小さく選ばれる。これによって、係止片１５を挿入孔４１に挿入させて、各第１裏面被覆部１２を相互に対向する方向、すなわち図５の矢符Ｆ方向に近接させることによって、係止切欠き部４２が挿入孔４１の長手方向一端部側の第２裏面被覆部１３に嵌り込み、各第１裏面被覆部１２が、被梱包物２または各第２裏面被覆部１３から離反する方向に各変位して、被梱包物２の面の一方の側縁部３寄りの領域を外部に露出してしまうことが防がれるので、梱包装置１によって被梱包物２を円滑に梱包することができ、梱包の作業性が向上する。
【００４９】
係止片１５は、各第１裏面被覆部１２の長手方向両端部１４に連なって形成されるので、係止片１５の第１表面被覆部１２に連結する基端部４５から遊端部４３に向かう方向は、段ボール内部の各空間の延びる方向に平行となる。これによって、係止片１５を挿入孔４１に挿入するときに、係止片１５が挿入孔４１に引っ掛かって挿入孔４１の長手方向に平行に折れ曲がることが防止され、係止片１５を円滑に挿入孔４１に挿入することができる。
【００５０】
挿入孔４１が設けられる各第２裏面被覆部１３の長手方向は、段ボール内部の各空間の延びる方向に垂直な方向となるように形成されるので、段ボールを切抜いて形成される挿入孔４１の長手方向を段ボール内部の各空間の延びる方向に垂直な方向とすることができる。したがって、係止片１５の挿入孔４１への挿入によって、挿入孔４１に臨む第１裏面被覆部１２が変形しにくく、係止片を円滑に挿入孔４１に挿入することができる。また、挿入孔４１に臨む第１裏面被覆部１３の変形を防止することができるので、梱包装置１を再利用することが可能となる。
【００５１】
図６は、図５の切断面線ＸＩ−ＸＩから見た部分切断面図である。第２裏面被覆部１３の長手方向両端部３８であって、第１裏面被覆部１２が積重する領域の厚みｔ１は、長手方向両端部３８間の中間部４７の厚みｔ２よりも小さく形成される。具体的には、厚みｔ１は、厚みｔ２の１／２程度とし、たとえばｔ１＝３．０ｍｍである場合、ｔ２は１．４ｍｍ以上１．７ｍｍ以下の範囲とする。
【００５２】
各第１裏面被覆部１２の長手方向両端部１４では、被梱包物２を梱包した状態では、各第２裏面被覆部１３の長手方向両端部３８に積重して配置されるが、これらの各第２裏面被覆部１３の長手方向両端部３８の領域は、前述したように、その厚みｔ１が両端部間の中間部の厚みｔ２と比較して小さく形成されるので、各第１裏面被覆部１２が、各第２裏面被覆部１３の長手方向両端部３８の厚み方向への弾性回復力または第１裏面被覆部１２の係止片１５が挿入孔４１から離脱する方向への復元力によって、第１裏面被覆部１２および第２裏面被覆部１３間に隙間が発生することが防がれる。
【００５３】
したがって、梱包された被梱包物２の運搬時、および複数の被梱包物２を梱包された状態で積重して載置、あるいは梱包され積重された被梱包物２を移動させるときに、前記段差が生じた部分に他の物体が接触して係止片１５が破損したり、第１裏面被覆部１２および第２裏面被覆部１３などが破断したりして、被梱包物２を確実に梱包できなくなってしまうという問題が生じない。
【００５４】
各第２裏面被覆部１３の長手方向両端部３８は、第２側面被覆部１０の長手方向両端部３７よりも、相互に近接する方向に退避して形成される。したがって、第１裏面被覆部１２の長手方向両端部１４が第２裏面被覆部１３の長手方向両端部３８に当接する当接位置は、第１側面被覆部９に対する折込み位置よりも遊端、すなわち折込み位置から離反する側となる。本実施の形態において第２裏面被覆部１３は、第１側面被覆部９から距離Ｌ５だけ離反する。これによって、第１裏面被覆部１２の厚み方向への浮き上がりを少なくし、第１表面被覆部１２に大きな弾性回復力または復元力が発生することを抑制して、わずかな衝撃などの作用によって係止片１５が破損し、あるいは第１裏面被覆部１２および第２裏面被覆部１３が破損するという不具合が生じない。
【００５５】
各第１裏面被覆部１２の長手方向両端部１４における各係止片１５よりも第１側面被覆部９寄りの領域には、接触切欠き部４８が形成され、各接触切欠き部４８は、第１裏面被覆部１２の長手方向に垂直な方向の一端部３２から、第１側面被覆部９から離反するに連れて相互に近接する方向に、第１裏面被覆部１２の長手方向に対して予め定める第１の角度θ１で傾斜する第１裏面傾斜部５１を有する。
【００５６】
また第２裏面被覆部１３は、長手方向両端部１５で第２側面被覆部１０寄りに、第２裏面被覆部１３の長手方向に垂直な方向の一端部３４から、第２側面被覆部１０から離反するに連れて相互に近接する方向に、第２裏面被覆部１３の長手方向に対して予め定める第２の角度θ２で傾斜し、第１裏面被覆部１２の第１裏面傾斜部５１に一部が当接する第２裏面傾斜部５２を有する。
【００５７】
予め定める第１の角度θ１と予め定める第２の角度θ２とを加算した角度θは、直角である。本実施の形態では、θ１およびθ２を、それぞれ４５°とする。
【００５８】
図７は、図１の切断面線ＸＩＩ−ＸＩＩから見た部分切断面図である。第１裏面被覆部１２および第２裏面被覆部１３の一部が相互に当接することによって、第１裏面被覆部１２に対する第２裏面被覆部１３の位置決めを行うことができ、矩形状の被梱包物２の形状を保持することができるとともに、梱包装置１の強度を向上させることができる。したがって、たとえば被梱包物２を梱包した梱包装置１の搬送中に、梱包装置１に捩れなどが生じた場合、係止切欠き部４２、および係止切欠き部４２の近傍の第１裏面被覆部１２に、捩れによる負荷が集中することを防止することができるので、第１裏面被覆部１２および第２裏面被覆部１３などの破損をより確実に防止することができる。
【００５９】
再び図４を参照して、第１表面被覆部５には、第１側面被覆部９寄りに、第１表面被覆部５の長手方向に垂直な方向に断続的であり、かつ第１表面被覆部５の長手方向に延びその両端部から第１側面被覆部９に向かって、第１表面被覆部５および第１側面被覆部９の折込み位置まで延びる第１表面切込み部５４が形成される。
【００６０】
また第１裏面被覆部１２には、第１側面被覆部９寄りに、第１裏面被覆部１２の長手方向に垂直な方向に断続的であり、かつ第１裏面被覆部１２の長手方向に延びその両端部から第１側面被覆部９に向かって、第１裏面被覆部１２および第１側面被覆部９の折込み位置まで延びる第１裏面切込み部５５が形成される。
【００６１】
また第２表面被覆部８には、第２側面被覆部１０寄りに、第２側面被覆部１０の長手方向に垂直な方向に断続的であり、かつ第２表面被覆部８の長手方向に延びその両端部から第２側面被覆部１０に向かって、第２表面被覆部８および第２側面被覆部１０の折込み位置まで延びる第２表面切込み部５６が形成される。
【００６２】
さらに第２裏面被覆部１３には、第２側面被覆部１０寄りに、第２裏面被覆部１３の長手方向に垂直な方向に断続的であり、かつ第２裏面被覆部１３の長手方向に延びその両端部から第２側面被覆部１０に向かって、第２裏面被覆部１３および第２側面被覆部１０の折込み位置まで延びる第２裏面切込み部５７が形成される。
【００６３】
第１表面切込み部５４と第１裏面切込み部５５とは、第１表面被覆部５および第１裏面被覆部１２の長手方向に垂直な方向に、相互に重ならない位置にずれて形成される。また第２表面切込み部５６と第２裏面切込み部５７とは、第２表面被覆部８および第２裏面被覆部１３の長手方向に垂直な方向に、相互に重ならない位置にずれて形成される。
【００６４】
図４に示す梱包装置構成体１６の第１側面被覆部９を各第１表面被覆部５に対して相互に近接する方向に折り曲げて対向させ、また第２側面被覆部１０を第２表面被覆部８に対して相互に近接する方向に折り曲げて対向させ、第１裏面被覆部１２を各第１側面被覆部９に対して各第１表面被覆部５に対向するように折り曲げ、第２裏面被覆部１３を各第２側面被覆部１０に対して第２表面被覆部８に対向するように折り曲げると、第１表面切込み部５４によって、第１側面被覆部１０の長手方向に垂直な方向の一端部２７から突出する複数の第１表面突出部６１が形成され、第１裏面切込み部５５によって、第１側面被覆部９の長手方向に垂直な方向の他端部２９から第１側面被覆部９の長手方向に垂直な方向の他端部３３から突出する複数の第１裏面突出部６２が形成され、第２表面切込み部５６によって、第２側面被覆部１０の長手方向に垂直な方向の一端部２９から突出する複数の第１表面突出部６１が形成され、第２裏面切込み部５７によって、第２側面被覆部１０の長手方向に垂直な方向の他端部３５から突出する複数の第２裏面突出部６４が形成される。
【００６５】
第１表面切込み部５４および第１裏面切込み部５５とは、第１表面被覆部５および第１裏面被覆部１２の長手方向に垂直な方向に、相互に重ならない位置にずれて形成されるので、第１表面突出部６１と第１裏面突出部６２とは、図２に示すように、第１表面被覆部５および第１裏面被覆部１２の長手方向に垂直な方向に、相互に重ならない位置にずれて形成される。また第２表面切込み部５６および第２裏面切込み部５７とは、第２表面被覆部８および第２裏面被覆部１３の長手方向に垂直な方向に、相互に重ならない位置にずれて形成されるので、第２表面突出部６３と第２裏面突出部６４とは、図３に示すように、第２表面被覆部８および第２裏面被覆部１３の長手方向に垂直な方向に、相互に重ならない位置にずれて形成される。
【００６６】
図８は、２つの梱包装置１を積重した状態を示す一方の側面図であり、図９は２つの梱包装置１を積重した状態を示す他方の側面図である。梱包装置１をそれぞれ梱包装置１Ａ，１Ｂと記す。被梱包物２を梱包装置１によって梱包した状態で、被梱包物２の厚み方向に複数の被梱包物２を積重して載置した場合では、梱包装置１Ａの第１表面突出部６１と梱包装置１Ｂの第１裏面突出部６２とが嵌合し、また梱包装置１Ａの第２表面突出部６３と梱包装置１Ｂの第２裏面突出部６４とが嵌合するので、上に積重された梱包装置１Ａの梱包装置１Ｂに対する被梱包物２の厚み方向に垂直な方向への位置ずれを防止することができ、積重した梱包装置１Ａ，１Ｂが不要にずれてしまうことが防がれ、荷崩れを防止することができる。したがって、複数個の梱包装置１を積重して搬送する場合などにおいて、被梱包物２が相互にずれることによって落下することがないので、安定して搬送することができる。
【００６７】
図１０は、第１側面被覆部９に設けられる起立片６５の拡大図であり、図１１は図１０の切断面線ＸＩ−ＸＩから見た断面図である。
【００６８】
第１側面被覆部９には、第１側面被覆部９の長手方向に平行な軸線まわりに起立可能な起立片６５が設けられる。起立片６５は、第１側面被覆部９に起立切込み６７を形成して、第１側面被覆部９の一部を、第１側面被覆部９の残部から起立させて形成される。
【００６９】
起立切込み６７は、第１側面被覆部９の長手方向両端部３６間の中間部６８で、第１側面被覆部９および第１表面被覆部５の折込み位置から、第１表面被覆部１２の第２側面被覆部１０寄りの領域まで延びる一対の平行な第１起立切込み６９と、第２側面被覆部１０に形成された第１起立切込み６９の端部７１を連接する第２側面被覆部１０の長手方向に垂直な方向に延びる第２起立切込み７２とを有する。
【００７０】
上述した起立切込み６７に囲まれる領域の第１側面被覆部９を、第１側面被覆部９の長手方向に垂直な方向の中央部を中心として起立させて、第１表面被覆部５および第１裏面被覆部１２に対向させ、被梱包物２である２枚の太陽電池パネルの間に挟むことによって、対向する太陽電池パネルが直接接触することを防止することができ、２枚の太陽電池パネルが互いに接触することによって生じる傷の発生を防止することができる。起立片６５は、第１側面被覆部９の長手方向に沿って、予め定める間隔を開けて複数設けられ、本実施の形態では、各第１側面被覆部９に２つずつ設けられる。
【００７１】
第１裏面被覆部１２には、第２起立切込み７２に連なり、梱包作業者の指が挿入可能な挿入孔６６が設けられる。挿入孔６６を設けることによって、梱包作業者が挿入孔６６に指を挿入して、容易に起立片６５を第１側面被覆部９から起立させることができる。
【００７２】
また起立片６５を対向する太陽電池パネルの間に挟むことによって、被梱包物２の梱包装置１に対する位置決めを行うことができ、梱包状態で被梱包物２の梱包装置１に対する位置ずれを防止することができる。
【００７３】
起立片６５には、第１側面被覆部９の長手方向に平行な軸線まわりに起立可能な起立係止片７３が設けられる。起立係止片７３は、起立片６５に起立係止片切込みを形成して、起立片６５の一部を、起立片６５の残部から起立させて形成される。係止係止片７３は、起立片６５から起立した状態で、起立片６５に対して垂直となる。
【００７４】
被梱包物２である太陽電池パネルの側縁部２Ａには、アルミなどによって枠体が設けられており、太陽電池パネルの裏面、すなわち受光面とは反対側の面では、その側縁部の厚みが中央部の厚みよりも大きく構成されている。図１１に示すように、梱包装置１は、太陽電池パネルを、これら太陽電池パネルの裏面を対向させた状態として梱包する。
【００７５】
上述した起立片６５を起立させて、太陽電池パネルの枠体に係止することによって、被梱包物２の梱包装置１に対するより確実な位置決めをおこなうことができる。
【００７６】
本実施の形態では、起立片６５は、第１側面被覆部９に設けられるが、本発明の実施の他の形態では、第２側面被覆部１０に、第２側面被覆部１０の長手方向に平行な軸線まわりに起立可能に起立片を設ける構成としてもよく、第１側面被覆部９および第２側面被覆部１０のそれぞれに起立片６５を設ける構成としてもよい。
【００７７】
また本発明の他の実施の形態では、起立片６５は、第１側面被覆部の長手方向に垂直な方向の両端部間の中間部から第１表面被覆部５にわたる領域の第１側面被覆部９によって形成されてもよい。
【００７８】
上述した梱包装置１は、２つの梱包体７５によって構成される。各第１表面被覆部５、第１側面被覆部９および第１裏面被覆部１２には、それぞれの長手方向の中間部で、これらの長手方向に垂直な方向に切断されている。図１および図４に示すように、一方の第１表面被覆部５、第１側面被覆部９および第１裏面被覆部１２の切断部７６Ａと、他方の第１表面被覆部５、第１側面被覆部９および第１裏面被覆部１２の切断部７６Ｂとは、これらの長手方向に垂直な方向でずれて形成される。切断部７６Ａ、７６Ｂは、第１表面被覆部５、第１側面被覆部９および第１裏面被覆部１２の長手方向中央よりも、長手方向一端部寄りに形成され、被梱包物２の厚み方向、すなわち図１および図４の紙面に垂直な方向で、被梱包物２の中心を通る軸線に対称となるように設けられる。上述した起立片６５は、それぞれの梱包体７５の第１側面被覆部９に設けられる。
【００７９】
各第１側面被覆部９の切断部７６Ａ，７６Ｂの近傍には、切断部７６Ａ，７６Ｂの両側にわたって、長手方向に延びるシール貼り付け部７７が設けられる。上述したように、２つの梱包体７５には、それぞれの第１側面被覆部９に起立片６５が設けられ、この起立片６５を被梱包物２である２枚の太陽電池パネルの間に挟み込むことによって、２つの梱包体が第２側面被覆部１０の長手方向で相互に離反する方向に分離することが防止されるが、シール貼り付け部７７に被梱包物２を表す情報を記したシール体を貼り付けることによって、分断されている２つの梱包体７５が第２側面被覆部１０の長手方向に離反する方向に分離しないように、より確実に接着することができる。
【００８０】
シール貼り付け部７７は、梱包作業者が矩形状のシール体を第１側面被覆部９の長手方向に平行に貼れるように、第１側面被覆部９の長手方向に平行な２本のシール切込み部７８を有する。梱包作業者は、シール貼り付け部７７のシール切込み部７８に沿って、切断部７６を覆うように矩形状のシール体を貼り付けることによって、シール体の長手方向を第１側面被覆部９の長手方向に容易に平行に配置することができる。これによって、シール体に記された文字などの情報が読みやすく、かつシール体による第１側面被覆部９の長手方向に離反する方向への引張り力に対して強度を向上させることができる。
【００８１】
また、第１側面被覆部９の長手方向中央が含まれる梱包体７５のシール貼り付け部７７の端部には、切取り可能な矩形状の切取り部７９が設けられる。切取り部７９は、断続的な切込みによって形成され、切取り部７９に隣接する第１側面被覆部９には、梱包作業者の指が挿入可能な挿入孔８１が設けられる。梱包作業者が挿入孔８１に指を挿入して、切取り部７９を第１側面被覆部９から離反する方向に引っ張ることによって、切取り部７９を第１側面被覆部９から分離することができる。切取り部７９にシール体の一端部が貼り付けることによって、切取り部７９を分離すると、シール体を第１側面被覆部９から剥離することができ、梱包した被梱包物２の取り出し、または梱包装置１の折り畳みが容易となる。
【００８２】
一方のシール貼り付け部７７の近傍には、第１側面被覆部９の長手方向に断続的に形成され、第１側面被覆部９の第１表面被覆部５寄りの領域と、第１表面被覆部５の第１側面被覆部９寄りの領域とにわたって、目印である挿通孔８０が設けられる。挿通孔８０を設けることによって、２つの梱包体７５を１組として梱包装置１を作製するときに、この２つの梱包体７５の組み合わせを容易に行いやすくなる。
【００８３】
次に、梱包装置１に被梱包物２を梱包する手順について説明する。
図１２は、梱包装置構成体１６の第１側面被覆部９および第２側面被覆部１０を折り曲げた状態を概略的に示す斜視図であり、図１３は、図１２に示した梱包装置構成体１６の第１裏面被覆部１２および第２裏面被覆部１３を折り曲げて形成される梱包装置１を概略的に示す斜視図である。
【００８４】
まず、図４に示した展開状態の折込み装置である梱包装置構成体１６の各対をなす第１側面被覆部９を各第１表面被覆部５に対して相互に近接する方向に折り曲げて対向させ、また各対をなす第２側面被覆部１０を第２表面被覆部８に対して相互に近接する方向に折り曲げて対向させる。これによって図１２に示すように、第１側面被覆部９および第１裏面被覆部１２は、第１表面被覆部５に対して直角となり、また第２表面被覆部８および第２裏面被覆部１３は、第２表面被覆部８に対して直角となる。また、第１側面被覆部９と第２側面被覆部１０は相互に直角となる。
【００８５】
この状態で、１枚の太陽電池パネルの表面を第１表面被覆部５および第２表面被覆部８に向けて配置する。
【００８６】
次に、起立片６５を起立させて太陽電池パネルの裏面に当接させ、このときに起立係止部７３によって太陽電池パネルの枠体を挟み込む。
【００８７】
次に、もう１枚の太陽電池パネルの裏面を先に配置された太陽電池パネルの裏面と対向するように配置する。これによって、起立片６５が２枚の太陽電池パネルの間に挟まれる。
【００８８】
次に、図１３に示すように、各対をなす第２裏面被覆部１３を各第２側面被覆部１０に対して第２表面被覆部８に対向するように折り曲げて、この後、各対をなす第１裏面被覆部１２を各第１側面被覆部９に対して各第１表面被覆部５に対向するように折り曲げ、係止片１５を挿入孔１６に挿入することによって、被梱包物２が梱包される。
【００８９】
係止片１５を挿入孔１６に挿入した後、第２裏面被覆部１３の長手方向で、対をなす第１裏面被覆部１２を相互に向かい合う方向に押圧することによって、係止切欠き１８が第２裏面被覆部１３に係合して係止片１５が係止される。
【００９０】
最後に、第１裏面被覆部１２の長手方向に垂直な方向にポリプロピレン樹脂を主原料とした樹脂製の帯状体８２であるポリプロピレン（略称ＰＰ）バンドを巻きつけて、このバンド８８を締結する。帯状体８２は、２つの梱包体７５のそれぞれに設けられる。これによって梱包装置１によって被梱包物２を確実に梱包することができる。
【００９１】
図１４は、１枚の板状体９１から切り出される２つの切抜き部９２を示す平面図である。図１５は梱包装置１によって梱包される被梱包物２である太陽電池パネルの寸法を示す斜視図である。太陽電池パネルの長手方向の寸法をＬとし、厚み方向の寸法をｈとし、長手方向および厚み方向に垂直な方向の寸法をＷとする。梱包装置１は、図１５に示す太陽電池パネルを２枚収容する。したがって、被梱包物２の厚み方向の寸法は、２×ｈ＝２ｈであり、上述した第１および第２側面被覆部９、１０の長手方向に垂直な方向の寸法Ｈにほぼ等しい。
【００９２】
梱包装置１は、１枚の矩形状の板状体９１を、被梱包物２の一方の側縁部３の一部を覆う第１領域９３と、第１領域９３に垂直に連なり、被梱包物２の他方の側縁部７を覆う第２領域９４と、第２領域９４に垂直に連なり、被梱包物２の一方の側縁部３の残部を覆う第３領域９５とを有する２つの切抜き部９２に切断した後、切抜き部９２を組み立てることによって製造される。各切抜き部９２は、上述した梱包体７５を構成する。一方の切抜き部９２Ａの第１、第２および第３領域には、符号に添え字Ａを付し、他方の切抜き部９２Ｂの第１、第２および第３領域には、符号に添え字にＢを付して記す場合がある。
【００９３】
各切抜き部９２の第１、第２および第３領域９３，９４，９５は、被梱包物２を一表面４側から覆う表面被覆部９６と、被梱包物２を側面から覆う側面被覆部９７と、被梱包物２を裏面側から覆う裏面被覆部９８とを有する。具体的には、第１領域９３は、第１表面被覆部５、第１側面被覆部９および第１裏面被覆部１２の一部１０１，１０２，１０３と、係止片１５と有し、第２領域は、第２表面被覆部８、第２側面被覆部１０および第２裏面被覆部１３とを有し、第３領域は、第１表面被覆部５、第１側面被覆部９および第１裏面被覆部１２の残部１０４，１０５，１０６を有する。
【００９４】
一方の切抜き部９２Ａの第１領域９３および他方の切抜き部９２Ｂの第３領域９５によって、被梱包物２の一方の側縁部３を覆う第１表面被覆部５、第１側面被覆部９および第１裏面被覆部１２が形成され、また、一方の切抜き部９２Ａの第３領域９５および他方の切抜き部９２Ｂの第１領域９３とによって、被梱包物２の一方の側縁部３を覆う第１表面被覆部５、第１側面被覆部９および第１裏面被覆部１２が形成される。
【００９５】
一対の第１領域９３は、相互に平行に配置され、一対の第２領域９４は、第１領域９３に直交する方向で相互に平行に配置され、一対の第３領域９５は、第１領域９３の間、および第２領域９４の間で相互に平行であり、かつ第１領域９３に平行に配置される。
【００９６】
矩形状の板状体９１の４つの周縁部をそれぞれ第１周縁部１１１、第２周縁部１１２、第３周縁部１１３、第４周縁部１１４とする。第１周縁部１１１と第２端部１１２および第４周縁部１１４とは垂直に連なり、第３周縁部１１３と第２周縁部１１２および第４周縁部１１４とは垂直に連なり、第１周縁部１１１と第３周縁部１１３とは平行であり、第２周縁部１１２と第４周縁部１１４とは平行である。第１周縁部１１１および第３周縁部１１３の寸法はＬＬであり、第２周縁部１１２および第４周縁部１１４の寸法はＷＷである。また、段ボール内に形成される空間の延びる方向は、第１周縁部１１１および第４周縁部１１４に平行とする。
【００９７】
第１領域９３には、第１表面被覆部５、第１側面被覆部９および第１裏面被覆部１２の一部１０１，１０２，１０３が板状体９１の第１周縁部１１１および第４周縁部１１４に平行に配置され、第２領域９４では、第２表面被覆部８、第２側面被覆部１０および第２裏面被覆部１３が板状体９１の第２周縁部１１２に平行に配置され、第３領域９５では、第１表面被覆部５、第１側面被覆部９および第１裏面被覆部１２の残部１０４，１０５，１０６が板状体９１の第１周縁部１１１および第３周縁部１１３に平行に配置される。
【００９８】
以下に、板状体９１から切り出される各切抜き部９２の形状について具体的に述べる。板状体９１の第１周縁部１１１から第３周縁部１１３に向かって、距離（Ａ＋２ｈ＋Ａ）の位置に、第１周縁部１１１に平行であり、かつ矩形状の板状体９１の第２周縁部１１２に垂直に連なり、第２周縁部１１２から距離（Ｌ６−Ａ）の位置まで延びる第１切込み１２１が形成される。第１切込み１２１の第２周縁部１１２からの距離（Ｌ６−Ａ）の位置に、この第１切込み１２１に連なり、第２周縁部１１２に平行であり、かつ第１切込み１１５から距離（Ａ＋２ｈ）の位置まで延びる第２切込み１２２が形成される。
【００９９】
また、板状体９１の第３周縁部１１３から第４周縁部１１４に向かって、距離（Ａ＋２ｈ＋Ａ）の位置に、第３周縁部１１３に平行であり、かつ矩形状の板状体９１の第４周縁部１１４に垂直に連なり、第４周縁部１１４からの距離（Ｌ６−Ａ）の位置まで延びる第３切込み１２３が形成される。第３切込み１２３の第４周縁部１１４からの距離（Ｌ６−Ａ）の位置に、この第３切込み１２３に連なり、第４周縁部１１４に平行であり、かつ第３切込み１２３から距離（Ａ＋２ｈ）の位置まで延びる第４切込み１２４が設けられる。
【０１００】
また、第２切込み１２２の第１切込み１２１に連なる端部とは反対側の端部と、第４切込み１２４の第３切込みに連なる端部とは反対側の端部と間に、この第２切込み１２２の端部と第４切込み１２４の端部とを連結する第５切込み１２５が形成される。
【０１０１】
上述した第１切込み１２１および第２切込み１２２と、第３切込み１２３および第４切込み１２４とは、板状体９１の中心で、厚み方向に垂直な軸線、すなわち図１４の紙面に垂直な方向に延びる軸線に対して、それぞれが対称となるように形成され、第５切込み１２５は、板状体９１の中心で厚み方向に垂直な軸線に対して対称となるように形成される。
【０１０２】
第１周縁部１１１の第２周縁部１１２から距離Ｌ６の位置から、第３周縁部１１３に向かって、第１周縁部１１１から距離Ａの位置までに、係止欠き部４２、係止片１５、接触切欠き部４８を形成する第６切込み１２６が形成され、第６切込み１２６に連なって、第２周縁部１１２に平行に、長さ２ｈの第７切込み１２７が形成される。
【０１０３】
第１周縁部１１１から距離（Ａ＋２ｈ）の位置に、第７切込み１２７の端部に連なり、第４周縁部１１４からの距離Ｂの位置まで第１周縁部１１１に平行に延びる第８切込み１２８が形成される。第８切込み１２８の第４周縁部１１４に近接する端部には、第４周縁部１１４に対して、所定の角度で傾斜して所定距離延び、その端部から第１周縁部１１１に平行に延びる第９切込み１１９が形成される。第９切込み１１９は、第４周縁部１１４に連なる。
【０１０４】
第１切込み１２１の第２周縁部１１２から距離（Ｂ＋２ｈ）の位置から、第２周縁部１１２に沿って、第１周縁部１１１から距離（Ａ＋２ｈ＋Ａ＋Ａ）の位置までに、係止欠き部４２、係止片１５、接触切欠き部４８を形成する第１０切込み１３０が形成され、第１０切込みに連なって、第２周縁部１１２に平行に、長さ２ｈの第１１切込み１３１が形成される。
【０１０５】
第１周縁部１１１から距離（Ａ＋２ｈ＋Ａ＋Ａ＋２ｈ）の位置に、第１１切込み１３１の端部に連なり、第２周縁部１１２からの距離Ｂの位置まで第１周縁部１１１に平行に延びる第１２切込み１３２が形成される。第１２切込み１３２の第２周縁部１１２に近接する端部には、第２周縁部１１２に対して、所定の角度で所定距離延び、その端部から第１周縁部１１１に平行に延びる第１３切込み１３３が形成される。第１３切込み１１３は、第２周縁部１１２に連なる。
【０１０６】
第３周縁部１１３の第４周縁部１１２から距離Ｌ６の位置から、第４周縁部１１４に沿って、第３周縁部１１３から距離Ａの位置までに、係止欠き部４２、係止片１５、接触切欠き部４８を形成する第１４切込み１３４が形成され、第１４切込み１３４に連なって、第４周縁部１１４に平行に、長さ２ｈの第１５切込み１３５が形成される。
【０１０７】
第３周縁部１１３から距離（Ａ＋２ｈ）の位置に、第１５切込み１３５の端部に連なり、第２周縁部１１２からの距離Ｂの位置まで第３周縁部１１３に平行に延びる第１６切込み１３６が形成される。第１６切込み１３６の第２周縁部１１２に近接する端部には、第２周縁部１１２に対して、所定の角度で傾斜して所定距離延び、その端部から第３周縁部１１３に平行に延びる第１７切込み１３７が形成される。第１７切込み１３７は、第２周縁部１１２に連なる。
【０１０８】
第３切込み１２３の第４周縁部１１４から距離（Ｂ＋２ｈ）の位置から、第４周縁部１１４に沿って、第３周縁部１１３から距離（Ａ＋２ｈ＋Ａ＋Ａ）の位置までに、係止欠き部４２、係止片１５、接触切欠き部４８を形成する第１８切込み１３８が形成され、第１８切込みに連なって、第４周縁部１１４に平行に、長さ２ｈの第１８切込み１３９が形成される。
【０１０９】
第３周縁部１１３から距離（Ａ＋２ｈ＋Ａ＋Ａ＋２ｈ）の位置に、第１９切込み１３９の端部に連なり、第４周縁部１１４からの距離Ｂの位置まで第３周縁部１１３に平行に延びる第２０切込み１４０が形成される。第２０切込み１４０の第４周縁部１１４に近接する端部には、第４周縁部１１４に対して、所定の角度で所定距離延び、その端部から第３周縁部１１３に平行に延びる第２１切込み１４１が形成される。第２１切込み１４１は、第４周縁部１１４に連なる。
【０１１０】
第６〜第１３切込み１２６〜１３３および第１４〜第２１切込み１３４〜１４１は、板状体９１の中心で厚み方向に垂直な軸線に対してそれぞれが対称となるように形成される。
【０１１１】
第１周縁部１１１、第２周縁部１１２、第１切込み１２１、第６切込み１２６および第７切込み１２７によって大略的に囲まれる領域が第１領域９３Ａとなり、第３周縁部１１３、第４周縁部１１４、第３切込み１２３、第１４切込み１３４および第１５切込み１３５によって大略的に囲まれる領域が第１領域９３Ｂとなる。
【０１１２】
第２周縁部１１２、第４切込み１２４、第５切込み１２５、第１２切込み１３２、第１３切込み１３３、第１６切込み１３６および第１７切込み１３７によって大略的に囲まれる領域が第２領域９４Ａとなり、第４周縁部１４、第２切込み１２２、第５切込み１２５、第８切込み１２８、第９切込み１２９、第２０切込み１４０および第２１切込み１４１によって大略的に囲まれる領域が第２領域９４Ｂとなる。
【０１１３】
第３切込み１２３、第４切込み１２４、第１８切込み１３８および第１９切込み１３９によって大略的に囲まれる領域が第３領域９５Ａとなり、第１切込み１２１、第２切込み１２２、第１０切込み１３０および第１１切込み１３１によって大略的に囲まれる領域が第３領域９５Ｂとなる。
【０１１４】
第１領域９３Ａでは、第１周縁部１１１から第３周縁部１１３に向かって、距離Ａの位置に、第１周縁部１１１に平行に延びる第１折込み線１５１が形成され、第１周縁部１１１から第３周縁部１１３に向かって、距離Ａ＋２ｈの位置に、第１周縁部１１１に平行に延びる第２折込み線１５２が形成される。
【０１１５】
第１領域９３Ａでは、第１周縁部１１１と第１折込み線１５１との間の領域によって、第１裏面被覆部１２の一部１０３が形成され、第１折込み線１５１と第２折込み線１５２との間の領域によって、第１側面被覆部９の一部１０２が形成され、第２折込み線１５２と第１切込み１２１との間の領域によって第１表面被覆部５の一部１０１が形成される。
【０１１６】
また第１領域９３Ａでは、第１周縁部１１１から第３周縁部１１３に向かって距離Ａの位置に、第１周縁部１１１に平行に延びる第１裏面切込み部５５の一部が形成され、距離Ａ＋２ｈの位置に、第１周縁部１１１に平行に延びる第１表面切込み部５４の一部が形成される。
【０１１７】
第２領域９４Ａでは、第４周縁部１１４から第２周縁部１１２に向かって、距離Ｂの位置に、第４周縁部１１４に平行に延びる第３折込み線１５３が形成され、第４周縁部１１４から第２周縁部１１２に向かって、距離Ｂ＋２ｈの位置に、第４周縁部１１４に平行に延びる第４折込み線１５４が形成される。
【０１１８】
第２領域９４Ａでは、第４周縁部１１４と第３折込み線１５３との間の領域によって、第２裏面被覆部１２が形成され、第３折込み線１５３と第４折込み線１５４との間の領域によって、第２側面被覆部１０が形成され、第４折込み線１５４と第２切込み１２２および第５切込み１２５との間の領域によって、第２表面被覆部８が形成される。
【０１１９】
また第２領域９４Ｂでは、第４周縁部１１１から第２周縁部１１２に向かって距離Ｂの位置に、第４周縁部１１４に平行に延びる第２裏面切込み部５７が形成され、距離Ｂ＋２ｈの位置に、第４周縁部１１４に平行に延びる第２表面切込み部５６が形成される。
【０１２０】
第３領域９５Ａでは、第３切込み１２３から第１周縁部１１１に向かって、距離Ａの位置に、第１周縁部１１１に平行に延びる第５折込み線１５５が形成され、第３切込み１２３から第１周縁部１１１に向かって、距離Ａ＋２ｈの位置に、第１周縁部１１１に平行に延びる第６折込み線１５６が形成される。
【０１２１】
第３領域９５Ａでは、第３切込み１２３と第５折込み線１５５との間の領域によって、第１裏面被覆部１２の残部が形成され、第５折込み線１５５と第６折込み線１５６との間の領域によって、第１側面被覆部１０の残部が形成され、第６折込み線１５６と第５切込み１２５との間の領域によって、第１表面被覆部５の残部が形成される。
【０１２２】
また第３領域９５Ａでは、第３切込み１２３から第１周縁部１１１に向かって距離Ａの位置に、第１周縁部１１１に平行に延びる第１裏面切込み部５５の残部が形成され、距離Ａ＋２Ｈの位置に、第１周縁部１１１に平行に延びる第１裏面切り込み部５４の残部が形成される。
【０１２３】
第１領域９３Ｂでは、第３周縁部１１３から第１周縁部１１１に向かって、距離Ａの位置に、第３周縁部１１３に平行に延びる第７折込み線１５７が形成され、第３周縁部１１１から第３周縁部１１３に向かって、距離Ａ＋２ｈの位置に、第１周縁部１１１に平行に延びる第８折込み線１５８が形成される。
【０１２４】
第１領域９３Ｂでは、第３周縁部１１３と第７折込み線１５７との間の領域によって、第１裏面被覆部１２の一部１０３が形成され、第７折込み線１５７と第８折込み線１５８との間の領域によって、第１側面被覆部９の一部１０２が形成され、第２折込み線１５２と第１切込み１２１との間の領域によって第１表面被覆部５の一部１０１が形成される。
【０１２５】
また第１領域９３Ｂでは、第３周縁部１１３から第１周縁部１１１に向かって距離Ａの位置に、第３周縁部１１３に平行に延びる第１裏面切込み部５５の一部が形成され、距離Ａ＋２ｈの位置に、第３周縁部１１３に平行に延びる第１表面切込み部５４の一部が形成される。
【０１２６】
第２領域９４Ｂでは、第２周縁部１１２から第４周縁部１１４に向かって、距離Ｂの位置に、第２周縁部１１２に平行に延びる第９折込み線１５９が形成され、第２周縁部１１２から第４周縁部１１４に向かって、距離Ｂ＋２ｈの位置に、第２周縁部１１２に平行に延びる第１０折込み線１６０が形成される。
【０１２７】
第２領域９４Ｂでは、第２周縁部１１２と第９折込み線１５９との間の領域によって、第２裏面被覆部１２が形成され、第９折込み線１５９と第１０折込み線１６０との間の領域によって、第２側面被覆部１０が形成され、第１０折込み線１６０と第２切込み１２２および第５切込み１２５との間の領域によって、第２表面被覆部８が形成される。
【０１２８】
また第２領域９４Ｂでは、第２周縁部１１２から第４周縁部１１４に向かって距離Ｂの位置に、第２周縁部１１２に平行に延びる第２裏面切込み部５７が形成され、距離Ｂ＋２ｈの位置に、第２周縁部１１２に平行に延びる第２表面切込み部５６が形成される。
【０１２９】
第３領域９５Ｂでは、第１切込み１２１から第３周縁部１１３に向かって、距離Ａの位置に、第３周縁部１１３に平行に延びる第１１折込み線１６１が形成され、第１１切込み１６１から第３周縁部１１３に向かって、距離Ａ＋２ｈの位置に、第３周縁部１１３に平行に延びる第１２折込み線１６２が形成される。
【０１３０】
第３領域９５Ｂでは、第１切込み１２１と第１１折込み線１６１との間の領域によって、第１裏面被覆部１２の残部が形成され、第１１折込み線１６１と第１２折込み線１６２との間の領域によって、第１側面被覆部１０の残部が形成され、第１２折込み線１６２と第５切込み１２５との間の領域によって、第１表面被覆部５の残部が形成される。
【０１３１】
また第３領域９５Ａでは、第１切込み１２１から第３周縁部１１３に向かって距離Ａの位置に、第３周縁部１１３に平行に延びる第１裏面切込み部５５の残部が形成され、距離Ａ＋２Ｈの位置に、第３周縁部１１３に平行に延びる第１表面切込み部５４の残部が形成される。
【０１３２】
第１〜第６折込み線１５１〜１５６と第７〜第１２折込み線１５７〜１６２とは、板状体９１の中心で厚み方向に垂直な軸線に対してそれぞれ対称となるように形成される。
【０１３３】
また第２領域９４Ａの、第３折込み線１５３の長手方向両端部で、この第３折込み線１５３の第４周縁部１１４側には、第３折込み線１５３に沿って延び、係止孔４１を形成するための係止孔切込み１６５Ａが形成される。また第２領域９４Ｂの、第９折込み線１５９の長手方向両端部で、この第９折込み線１５９の第２周縁部１１２側には、第９折込み線１５３に沿って延び、係止孔４１を形成するための係止切り込み１６５Ｂが形成される。
【０１３４】
また第１領域９３Ａの第２周縁部１１２と、第６および第７切込み１２６，１２７との中間部１６６には、第２折込み線１５２から第１周縁部１１１に向かって、起立切り込み６７が形成され、第３領域９５Ａの第３切込み１２３と、第１８および第１９切込み１３８，１３９との中間部１６７には、第６折込み線１５６から第３周縁部１１３に向かって、起立切り込み６７が形成される。
【０１３５】
また第１領域９３Ｂの第４周縁部１１４と、第１４および第１５切込み１３４，１３５との中間部１６８には、第８折込み線１５８から第３周縁部１１３に向かって、起立切り込み６７が形成され、第３領域９５Ａの第２切込み１２２と、第１０および第１１切込み１３０，１３１との中間部１６９には、第１２折込み線１６２から第１周縁部１１１に向かって、起立切り込み６７が形成される。
【０１３６】
また、第１領域９３Ａの第２周縁部１１２寄りの領域には、第１折込み線１５１と第２折込み線１５２との間に、シール切込み部７８の一部が形成され、第３領域９５Ａの第３切込み１２４寄りの領域には、第５折込み線１５５と第６折込み線１５６との間に、シール切込み部７８の残部が形成される。
【０１３７】
また、第１領域９３Ｂの第４周縁部１１４寄りの領域には、第７折込み線１５７と第８折込み線１５８との間にシール切込み部７８の一部が形成され、第３領域９５Ｂの第２切込み１２２寄りの領域には、第１１切込み線１６１と第１２折込み線１６２との間に、シール切込み部７８の残部が形成される。シール貼付け部７８の切取り部７９は、第１領域９３Ａ，９３Ｂ形成される。
【０１３８】
上述した第１〜第２１切込み１２１〜１４１に沿って、１枚の板状体９１を切り離し、また上述した各切り込みを形成することによって、２つの切抜き部９２が得られる。一方の切抜き部９２Ａの第２周縁部１１２を、他方の切抜き部９２Ｂの第２切込み１２２によって形成された端部に当接させ、他方の切抜き部９２Ｂの第４周縁部１１４を、一方の切抜き部９２Ａの第４切込み１２４によって形成された端部に当接させて配置することによって、図４に示す梱包装置構成体１６となる。
【０１３９】
第１１切込み１３１と第１９切込み１３９との間の第１周縁部１１１および第４周縁部１１４に平行な方向の距離をＬ７とすると、各部の寸法は以下の式（１）〜式（５）によって決定される。
Ｌ＝Ｌ６＋Ｌ７                                          …（１）
Ｌ６＝（Ｌ＋Ａ＋Ｂ＋２ｈ）／２                          …（２）
Ｌ７＝（Ｌ−Ａ−Ｂ−２ｈ）／２                          …（３）
ＬＬ＝Ｌ６＋Ｂ＋２ｈ＝Ｌ７＋Ａ＋２Ｂ＋４ｈ              …（４）
ＷＷ＝Ｗ＋４Ａ＋６ｈ                                    …（５）
【０１４０】
ＡおよびＢは、任意の数値であり、被梱包物２および板状体９１の寸法に応じて、変更することができる。またｎｈ＝ｎ×ｈ（ｎは自然数）であり、ｎＡ＝ｎ×Ａ（ｎは自然数）であり、ｎＢ＝ｎ×Ｂ（ｎは自然数）である。
【０１４１】
被梱包物２の寸法が決定していれば、板状体９１の寸法を上式によって決定することによって、１枚の板状体９１から効率よく梱包装置１を構成する切抜き部９２を切抜くことができる。
【０１４２】
上述したように、１枚の板状体から２つの切抜き部を切抜くことによって、１枚の矩形状の板状体の周縁部を折り曲げて作製する従来の技術の梱包装置と比較して、同じ面積の梱包材料で、より大きな被梱包物２を梱包することができる。つまり、従来の技術の梱包装置と比較して、梱包材料の使用量を削減することができる。
【０１４３】
また、切抜き部９２の一部が損傷した場合には、梱包装置１全体を廃棄する必要が無く、損傷した部分を有する切抜き部９２だけを交換するだけで梱包装置１を製造することができる。
【０１４４】
上述した切抜き部９２は、上述した第１〜第２１切込み１２１〜１４１に対応する位置に刃物が設けられるプレス板を板状体９１に押し付けることによって板状体９１から同時に切抜かれる。
【０１４５】
プレス板には、上述した起立片６５、起立片係止部７３、第１表面切込み部５４、第１裏面切込み部５５、第２表面切込み部５６および第２裏面切込み部５７、シール切込み部７８、切取り部７９を形成するための切込みに対応する位置にも刃物が設けられ、切抜き部９２を板状体９１から切抜くときに、これらの切込みを同時に形成することができる。プレス板の第２裏面被覆部１３の両端部３８に対応する部分、図１４の斜線で示す領域には、コルクシートまたはゴムシートなどを設けて、切り出す時のプレス加工によって、同時にこの領域をプレスして第２裏面被覆部１３の両端部３８間の中間部４７厚みを小さく形成する。
【０１４６】
本発明の実施の他の形態では、被梱包物２の梱包装置１から外部に露出する部分には、被梱包物２への物品の衝突によって傷が発生しないように、シート体などを設けてもよく、また被梱包物２自体にシート体を貼り付けてもよい。
【０１４７】
本実施の形態では、被梱包物２として太陽電池パネルを梱包しているが、本発明の実施の他の形態では、被梱包物２は、太陽電池パネルに限らず、絵画の額などであってもよく、板状体であればよい。
【０１４８】
また本実施の形態では、２枚の太陽電池パネルを梱包しているが、本発明の実施のさらに他の形態では、１枚の太陽電池パネルを梱包してもよく、また３枚以上の複数枚の太陽電池パネルを梱包してもよい。１枚の太陽電池パネルを梱包する場合には、上述した起立片を設ける必要はなく、３枚以上の太陽電池パネルを梱包する場合には、対向する太陽電池パネル間に起立片が挟まれるように、起立片を複数設ければよい。
【０１４９】
本実施の形態では、梱包材料として段ボールを用いているが、本発明の実施の他の形態では、段ボール以外の梱包材料を用いても作製することができ、たとえば厚紙、合成加工紙およびプラスチック段ボールなどを用いてもよい。また、梱包材料として表面に撥水加工を施した段ボールなどを用いてもよく、梱包材料の一部、たとえば強度が必要となる係止片１５の近傍、第１表面突出部６１、第２表面突出部６２、第３表面突出部６３および第４表面突出部６４などが形成される部分の表面に撥水加工などのコーティングを施した段ボールを用いてもよい。
【０１５０】
【発明の効果】
請求項１記載の本発明によれば、各第１裏面被覆部の長手方向両端部に設けられる係止片を第２裏面被覆部の長手方向両端部で、かつ各第２側面被覆部寄りに形成される挿入孔に挿入することによって係止切欠き部が挿入孔から長手方向外側に存在する第２裏面被覆部の部分に嵌り込み、各第１裏面被覆部が、被梱包物または各第２裏面被覆部から離反する方向に各変位して、被梱包物の他方の表面の一側縁部寄りの領域を外部に露出してしまうことが防がれる。これによって、被梱包物を円滑に梱包することができ、梱包の作業性が向上する。
【０１５２】
第２裏面被覆部の長手方向両端部は、第２側面被覆部の長手方向両端部よりも相互に近接する方向に退避して設けられるので、第１裏面被覆部の長手方向両端部が第２裏面被覆部の長手方向両端部に当接する当接位置は、第１側面被覆部に対する折込み位置よりも遊端、すなわち折込み位置から離反する側となる。これによって、第１裏面被覆部の浮き上がりを少なくし、第１表面被覆部に大きな弾性回復力または復元力が発生することを抑制して、わずかな衝撃などの作用によって係止片が破損し、あるいは第１および第２裏面被覆部が破損するという不具合が生じない。
【０１５３】
第１裏面被覆部を第１側面被覆部に対して折り曲げて、第１表面被覆部に対向させ、第２裏面被覆部を第２側面被覆部に対して折り曲げて、第２表面被覆部に対向させると、第１裏面被覆部の長手方向両端部における係止片よりも第１側面被覆部寄りの領域に形成される接触切欠き部の第１裏面傾斜部の一部と、第２裏面被覆部の長手方向両端部で第２側面被覆部寄りに設けられる第２裏面傾斜部の一部が当接する。
【０１５４】
第１裏面被覆部の長手方向に対して予め定める第１の角度で傾斜し、第２裏面傾斜部は、第２裏面傾斜部の長手方向に対して予め定める第２の角度で傾斜し、かつ予め定める第１の角度と予め定める第２の角度とを加算した角度は直角であるので、第１裏面被覆部および第２裏面被覆部の一部が当接することによって、第１裏面被覆部に対する第２裏面被覆部の位置決めを行うことができ、矩形状の被梱包物の形状を保持することができるとともに、装置の強度を向上させることができる。したがって、たとえば梱包装置に捩れなどが生じた場合、係止切欠き部、および係止切欠き部の近傍の第１裏面被覆部に捩れによる負荷が集中することを防止することができるので、第１および第２裏面被覆部などの破損をより確実に防止することができる。
請求項２記載の本発明によれば、各第１裏面被覆部の長手方向両端部では、前述のように折り畳んで被梱包物を梱包した状態では、各第２裏面被覆部の長手方向両端部に積重して配置されるが、これらの各第２裏面被覆部の長手方向両端部の領域は、その厚みが両端部間の中間部の厚みと比較して小さく形成されるので、各第１裏面被覆部が、各第２裏面被覆部の長手方向両端部の厚み方向への弾性回復力または第１裏面被覆部の係止片が挿入孔から離脱する方向への復元力によって、第１裏面被覆部および第２裏面被覆部間に隙間が発生することが防がれる。したがって、梱包された被梱包物の運搬時、および複数の被梱包物を梱包された状態で積重して載置、あるいは梱包され積重された被梱包物を移動させるときに、前記段差が生じた部分に他の物体が接触して係止片が破損したり、第１および第２裏面被覆部などが破断したりして、被梱包物が確実に梱包できなくなってしまうという問題が生じない。したがって、段ボールなどの安価な梱包材料を用いて実現される梱包装置に対して、特に好適に実施することができ、産業上の利用性が拡大する。
【０１５５】
請求項３記載の本発明によれば、第１表面切込み部を第１表面被覆部に形成し、第１裏面切込み部を第１裏面被覆部に形成し、第２表面切込み部を第２表面被覆部に形成し、第２裏面切込み部を第２裏面被覆部に形成するので、第１側面被覆部を各第１表面被覆部に対して相互に近接する方向に折り曲げて対向させ、また第２側面被覆部を第２表面被覆部に対して相互に近接する方向に折り曲げて対向させ、第１裏面被覆部を各第１側面被覆部に対して各第１表面被覆部に対向するように折り曲げ、第２裏面被覆部を各第２側面被覆部に対して第２表面被覆部に対向するように折り曲げることによって、梱包装置の側縁部には、第１側面被覆部および第２側面被覆部の長手方向に垂直な方向に断続的に突出する複数の突出部が形成される。
【０１５６】
第１表面切込み部によって形成される突出部と、第１表面切込み部によって形成される突出部とは、第１表面被覆部および第１裏面被覆部の長手方向に垂直な方向に、相互に重ならない位置にずれて形成される。また第２表面切込み部によって形成される突出部と、第２表面切込み部によって形成される突出部とは、第２表面被覆部および第２裏面被覆部の長手方向に垂直な方向に、相互に重ならない位置にずれて形成される。したがって、被梱包物を梱包装置によって梱包した状態で、被梱包物の厚み方向に垂直な方向に複数の梱包物を積重して載置した場合では、第１表面切込み部によって形成される突出部と、第１裏面切込み部によって形成される突出部とが嵌め合い状態となり、第２表面切込み部によって形成される突出部と、第２裏面切込み部によって形成される突出部とが嵌め合い状態となるので、積重した梱包物が不要にずれてしまうことが防がれ、荷崩れを防止することができる。
【０１５７】
請求項４記載の本発明によれば、第１表面被覆部の長手方向中間部と、第２表面被覆部の長手方向中間部との間に、補強部材が設けられるので、第１表面被覆部および第２表面被覆部が互いに近接する方向および離反する方向の強度を向上させることができ、梱包装置の型崩れなどの不用意な変形を防止することができる。
【０１５８】
請求項５記載の本発明によれば、起立片が第１側面被覆部の長手方向に平行な軸線まわりに起立可能に設けるので、複数の板状体の被梱包物を梱包する場合に、起立片を第１表面被覆部および第１裏面被覆部に対向するように起立させて、被梱包物の間に挟むことによって、対向する被梱包物が直接接触することを防止することができ、被梱包物が互いに接触することによって生じる傷の発生を防止することができる。
【０１５９】
また起立片を対向する被梱包物の間に挟むことによって、被梱包物の梱包装置に対する位置決めを行うことができ、梱包状態で被梱包物の梱包装置に対する位置ずれを防止することができる。
【０１６０】
請求項６記載の本発明によれば、各第１裏面被覆部の長手方向両端部に設けられる係止片を第２裏面被覆部の長手方向両端部で、かつ各第２側面被覆部寄りに形成される挿入孔に挿入することによって係止切欠き部が挿入孔から長手方向外側に存在する第２裏面被覆部の部分に嵌り込み、各第１裏面被覆部が、被梱包物または各第２裏面被覆部から離反する方向に各変位して、被梱包物の他方の表面の一側縁部寄りの領域を外部に露出してしまうことが防がれる。これによって、被梱包物を円滑に梱包することができ、梱包の作業性が向上する。
各第１裏面被覆部の長手方向両端部では、前述のように折り畳んで被梱包物を梱包した状態では、各第２裏面被覆部の長手方向両端部に積重して配置されるが、これらの各第２裏面被覆部の長手方向両端部の領域は、その厚みが両端部間の中間部の厚みと比較して小さく形成されるので、各第１裏面被覆部が、各第２裏面被覆部の長手方向両端部の厚み方向への弾性回復力または第１裏面被覆部の係止片が挿入孔から離脱する方向への復元力によって、第１裏面被覆部および第２裏面被覆部間に隙間が発生することが防がれる。したがって、梱包された被梱包物の運搬時、および複数の被梱包物を梱包された状態で積重して載置、あるいは梱包され積重された被梱包物を移動させるときに、前記段差が生じた部分に他の物体が接触して係止片が破損したり、第１および第２裏面被覆部などが破断したりして、被梱包物が確実に梱包できなくなってしまうという問題が生じない。したがって、段ボールなどの安価な梱包材料を用いて実現される梱包装置に対して、特に好適に実施することができ、産業上の利用性が拡大する。
第２裏面被覆部の長手方向両端部は、第２側面被覆部の長手方向両端部よりも相互に近接する方向に退避して設けられるので、第１裏面被覆部の長手方向両端部が第２裏面被覆部の長手方向両端部に当接する当接位置は、第１側面被覆部に対する折込み位置よりも遊端、すなわち折込み位置から離反する側となる。これによって、第１裏面被覆部の浮き上がりを少なくし、第１表面被覆部に大きな弾性回復力または復元力が発生することを抑制して、わずかな衝撃などの作用によって係止片が破損し、あるいは第１および第２裏面被覆部が破損するという不具合が生じない。
起立片が第１側面被覆部の長手方向に平行な軸線まわりに起立可能に設けるので、複数の板状体の被梱包物を梱包する場合に、起立片を第１表面被覆部および第１裏面被覆部に対向するように起立させて、被梱包物の間に挟むことによって、対向する被梱包物が直接接触することを防止することができ、被梱包物が互いに接触することによって生じる傷の発生を防止することができる。
また起立片を対向する被梱包物の間に挟むことによって、被梱包物の梱包装置に対する位置決めを行うことができ、梱包状態で被梱包物の梱包装置に対する位置ずれを防止することができる。
請求項７記載の本発明によれば、１枚の矩形状の板状体を、被梱包物の一方の側縁部の一部を覆う第１領域と、第１領域に垂直に連なり、被梱包物の他方の側縁部を覆う第２領域と、第２領域に垂直に連なり、被梱包物の一方の側縁部の残部を覆う第３領域とを有する２つの切抜き部に切断して、板状体の梱包装置を製造する。各切抜き部の第１、第２および第３領域は、被梱包物を一表面側から覆う表面被覆部と、被梱包物を側面から覆う側面被覆部と、被梱包物を裏面側から覆う裏面被覆部とを有する。
【０１６１】
梱包装置を２つの切抜き部から作製することによって、被梱包物の側縁部のみを覆う構成とすることができ、梱包装置を１枚の矩形状の板状体の周縁部を折り曲げて作製する場合に比べて、同じ面積の梱包材料を用いて、より大きな被梱包物を梱包することができる。つまり、従来の技術の梱包装置と比較して、梱包材料の使用量を削減することができる。したがって、資源を有効利用することができるとともに、製造コストを低減することができる。
【０１６２】
また、切抜き部の一部が損傷した場合には、梱包装置全体を廃棄する必要が無く、損傷した部分を有する切抜き部だけを交換するだけで梱包装置を製造することができる。
【０１６３】
請求項８記載の本発明によれば、一対の第１領域を相互に平行に配置し、一対の第２領域を第１領域に直交する方向で相互に平行に配置し、一対の第３領域を第１領域の間および第２領域の間で相互に平行であり、かつ第１領域に平行に配置して、切抜きを行うことによって、１枚の矩形状の板状体から効率よく梱包装置の部位を取り出すことができる。
【図面の簡単な説明】
【図１】本発明の実施の一形態である板状体の梱包装置１の一部を切欠いて示す平面図である。
【図２】板状体の梱包装置１の一方の側面図である。
【図３】板状体の梱包装置１の他方の側面図である。
【図４】板状体の梱包装置１の一部を切欠いて示す展開図である。
【図５】係止片１５を挿入孔４１に挿入した状態を示す梱包装置１の部分拡大斜視図である。
【図６】図５の切断面線ＸＩ−ＸＩから見た部分切断面図である。
【図７】図１の切断面線ＸＩＩ−ＸＩＩから見た部分切断面図である。
【図８】２つの梱包装置１を積重した状態を示す一方の側面図である。
【図９】２つの梱包装置１を積重した状態を示す他方の側面図である。
【図１０】第１側面被覆部９に設けられる起立片６５の拡大図である。
【図１１】図１０の切断面線ＸＩ−ＸＩから見た断面図である。
【図１２】梱包装置構成体１６の第１側面被覆部９および第２側面被覆部１０を折り曲げた状態を概略的に示す斜視図である。
【図１３】図１２に示した梱包装置構成体１６の第１裏面被覆部１２および第２裏面被覆部１３を折り曲げて形成される梱包装置１を概略的に示す斜視図である。
【図１４】１枚の板状体９１から切り出される２つの切り抜き部９２を示す平面図である。
【図１５】梱包装置１によって梱包される被梱包物２である太陽電池パネルの寸法を示す斜視図である。
【符号の説明】
１  梱包装置
２  被梱包物
５  第１表面被覆部
８  第２表面被覆部
９  第１側面被覆部
１０  第２側面被覆部
１２  第１裏面被覆部
１３  第２裏面被覆部
１５  係止片
４１  挿入孔
４２  係止切欠き部
４８  接触切欠き部
５１  第１表面傾斜部
５２  第２表面傾斜部
９１  板状体
９２  切り抜き部
９３  第１領域
９４  第２領域
９５  第３領域
９６  表面被覆部
９７  側面被覆部
９８  裏面被覆部
【図１】
0003725855.tif 000002
【図２】
0003725855.tif 000003
【図３】
0003725855.tif 000004
【図４】
0003725855.tif 000005
【図５】
0003725855.tif 000006
【図６】
0003725855.tif 000007
【図７】
0003725855.tif 000008
【図８】
0003725855.tif 000009
【図９】
0003725855.tif 000010
【図１０】
0003725855.tif 000011
【図１１】
0003725855.tif 000012
【図１２】
0003725855.tif 000013
【図１３】
0003725855.tif 000014
【図１４】
0003725855.tif 000015
【図１５】
0003725855.tif 000016